(57)【要約】      （修正有）【課題】墓石等に容易に設置できるとともに、安定的に保持することができる墓用支持具の取付構造及び墓用支持具を提供する。【解決手段】ロウソクＲ及び線香Ｓをそれぞれ起立状態で支持する取付ベース２が、墓石側の支持具設置面となる香炉３４の上面３４ａに取り付けられ、その取付構成として、取付ベース２に固定されたマグネットシート３と、香炉３４の上面３４ａに固定されたマグネットシート４との間で働く磁力を用いる。これにより、墓用支持具１を容易に設置できるとともに、墓用支持具１を安定的に墓石に保持することができる。【選択図】図２
0003178567.tif 000002
【実用新案登録請求の範囲】
【請求項１】
墓石に付随して設置される墓用支持具の取付構造において、
ロウソク、線香、及び花きのうち少なくとも１つを起立状態で支持する支持部が形成された取付ベースと、
その取付ベースに形成された第１磁力吸着部と、
前記墓石側の支持具設置面上に設けられるとともに、前記第１磁力吸着部との間で磁力により吸着力を生じる第２磁力吸着部と、
を備え、
墓用支持具が第１及び第２磁力吸着部の吸着作用により墓石側に着脱可能に固定されることを特徴とする墓用支持具の取付構造。
【請求項２】
前記第１磁力吸着部は、永久磁石が薄板形状に形成されて前記取付ベースの底面側に貼着され、
前記第２磁力吸着部は、永久磁石が薄板形状に形成されて前記支持具設置面上に貼着される請求項１に記載の墓用支持具の取付構造。
【請求項３】
前記取付ベースは、その底部に幅方向に延びる帯状の空間を有して、その空間を挟んで対向する一対の底部フランジにそれぞれ幅方向に平行に延びるマグネットシートが貼着され、墓石側の支持具設置面にはそのマグネットシートに対応して一対のマグネットシートが平行に貼着され、これら取付ベース側と墓石側のマグネットシート同士が磁力吸着される請求項１又は２に記載の墓用支持具の取付構造。
【請求項４】
前記支持部として、ロウソク支持部を備え、かつロウソクの外周を覆うように前記取付ベースに取り付けられてロウソクの火が風で消されることを防ぐ風防筒を備えるとともに、前記支持部として、線香を挿入して支持する線香支持筒を含み、前記線香支持筒は、前記取付ベースのほぼ中央位置に配置され、前記ロウソク支持部は、線香支持筒の両側位置に配置される請求項１ないし３のいずれか１項に記載の墓用支持具の取付構造。
【請求項５】
墓石に付随して設置される墓用支持具の取付構造において、
ロウソク、線香、及び花きのうち少なくとも１つを起立状態で支持する支持部が形成された取付ベースと、
その取付ベースに形成された第１磁力吸着部と、
前記墓石側の支持具設置面上に設けられるとともに、前記第１磁力吸着部との間で磁力により吸着力を生じる第２磁力吸着部と、
を備え、
墓用支持具が第１及び第２磁力吸着部の吸着作用により墓石側に着脱可能に固定されるとともに、
前記取付ベースは、板状のベース本体と、そのベース本体の少なくとも前後の端縁部からその前後の奥行より小さい突出寸法で下側に延びて互いに対向する板状の脚部と、前記ベース本体の下面に固定され、前記脚部の先端から下側へはみ出さないように前記脚部間の空間に配置される板状のスペーサ部材と、そのスペーサ部材の下面に貼着された第１磁力吸着部としてのマグネットシートとを備え、そのマグネットシートが前記墓石側に設置された第２磁力吸着部としてのマグネットシートに磁力で接合されることを特徴とする墓用支持具の取付構造。
【請求項６】
前記スペーサ部材とその下面に貼着されたマグネットシートとの合計厚みが、前記脚部の先端から下側へはみ出さないように設定されるとともに、それらスペーサ部材及びマグネットシートが少なくとも前後の板状の脚部で隠され、かつその脚部の先端が前記墓側の支持具設置面に接地又はごく近接する請求項５に記載の墓用支持具の取付構造。
【請求項７】
前記ベース本体上の左右に、ロウソクを立てる一対のロウソク支持部が形成され、各ロウソク支持部にはロウソクの火が風で消えることを防ぐ風防筒が装着され、また前記ベース本体上の中央には、点火線香を立てた状態で支持する線香支持部が形成されている請求項５又は６に記載の墓用支持具の取付構造。
【請求項８】
請求項１ないし７のいずれか１項に記載の墓用支持具の取付構造における、前記墓石側の支持具設置面上の前記第２磁力着部に着脱可能に固定される墓用支持具。
【考案の詳細な説明】
【技術分野】
【０００１】
本考案は、墓石に付随して設置される墓用支持具の取付構造及び墓用支持具に関する。
【背景技術】
【０００２】
従来から、墓地の墓石の前には、線香立てやロウソク立て等の墓用支持具が設けられている。このような墓用支持具は、一般的に、特許文献１に示すように、墓石又は墓石の前に設置される石製の供物台の一部を切削して穴を開け、この穴に線香立てあるいはロウソク立て用の支持具を嵌め込んで取り付けることにより墓前に設置される。しかしながら、この支持具では、墓石又は墓石の前の石製の供物台に支持具取付用の穴（取付穴）をあける施工作業が大変である。また、例えば支持具内に溜まったロウソクや線香の残りカスを取り除く等の清掃を行う場合、取付穴から支持具を取り外すことになるが、この清掃を繰り返すうちに金属等からなる支持具の着脱部（例えば係合爪部）が変形してしまい、結果として支持具の取付状態においてガタ付きが生じ、安定して保持できない問題を生じる。
【先行技術文献】
【特許文献】
【０００３】
【特許文献１】特開２０１１−１７１６２号公報
【考案の概要】
【考案が解決しようとする課題】
【０００４】
本考案の課題は、墓石等に容易に設置できるとともに、安定的に保持することができる墓用支持具の取付構造及び墓用支持具を提供することにある。
【課題を解決するための手段及び考案の効果】
【０００５】
上記課題を解決するために、本考案は、
墓石に付随して設置される墓用支持具の取付構造において、
ロウソク、線香、及び花きのうち少なくとも１つを起立状態で支持する支持部が形成された取付ベースと、
その取付ベースに形成された第１磁力吸着部と、
前記墓石側の支持具設置面上に設けられるとともに、前記第１磁力吸着部との間で磁力により吸着力を生じる第２磁力吸着部と、
を備え、
墓用支持具が第１及び第２磁力吸着部の吸着作用により墓石側に着脱可能に固定されることを特徴とする。
【０００６】
なお、第１及び第２磁力吸着部の双方が磁石部材の場合、一方が磁石部材で他方が磁性材（磁性金属等）の場合がある。磁性材としては、取付ベースが磁性金属の場合、又は非磁性材に磁性材が付加される場合、取付ベースに磁石部材が付加される形態で墓石側に磁性材が固定される場合等がある。つまり、第１及び第２磁力吸着部は、磁石自体でもよいし、磁石に吸着される部材でもよい。
【０００７】
このように、取付ベースを墓石側の支持具設置面上に取り付ける構成において、第１、第２磁力吸着部間で働く磁力を用いることで、墓石側に墓用支持具の取付穴を開ける必要がなく、墓用支持具を墓前に設置するためには第１磁力吸着部と第２磁力吸着部で磁力吸着するだけでよく、墓用支持具の設置が容易となる。また、磁力によって取付ベースを墓石側に対して着脱自在に設置することにより、墓用支持具の清掃もこの支持具を墓から取り外して容易に行い、また元の位置に簡単に付けることができ、何度も着脱を繰り返しても従来のような係合爪部の損傷や劣化の心配もなく、墓用支持具を安定的に墓石に保持することができる。
【図面の簡単な説明】
【０００８】
【図１】本考案の第１実施形態の墓用支持具が設置された墓石を示す斜視図。
【図２】その墓用支持具を示す斜視図。
【図３】図１のＡ−Ａ断面図。
【図４】図１のＢ−Ｂ断面図。
【図５Ａ】図２におけるマグネットシートを貼着する両面粘着テープの斜視図。
【図５Ｂ】そのマグネットシートの磁力吸着によって墓石側の供物台に墓用支持具が取り付けられた状態を示す部分拡大断面図。
【図６】本考案の第２実施形態の墓用支持具を示す斜視図。
【図７】その墓用支持具を示す縦断面図。
【図８Ａ】図６の墓用支持具の取付ベースに対する線香支持筒の組付けの例１を示す断面図。
【図８Ｂ】同じく例２を示す断面図。
【図８Ｃ】同じく例３を示す断面図。
【図９Ａ】墓用支持具の磁力吸着構成における変形例１を示す断面図。
【図９Ｂ】同じく変形例２を示す断面図。
【図９Ｃ】同じく変形例３を示す断面図。
【図１０】墓用支持具の変形例１を示す斜視図。
【図１１Ａ】同じく変形例２を示す正面図。
【図１１Ｂ】同じく変形例３を示す正面図。
【図１２】墓用支持具を構成する線香支持筒の変形例を示す部分拡大断面図。
【図１３】墓用支持具が設置される香炉の変形例１を示す分解斜視図。
【図１４】その香炉を示す正面図。
【図１５】同じく変形例２を示す正面図。
【考案を実施するための形態】
【０００９】
以下、本考案の実施形態について図面を参照して説明する。まず、第１実施形態の墓用支持具について説明する。図１に示すように、第１実施形態の墓用支持具１は、墓石３０の前の支持具設置面となる水平面（実施形態中では、墓石３０を構成する竿石３１、上台石３２、下台石３３のうち最下部に配置される下台石３３の上面に設けられる石製の香炉３４の上面３４ａを例示する）上に設置される。
【００１０】
墓用支持具１は、図２に示すように、ロウソクＲ及び線香Ｓの点火物をそれぞれ起立状態で支持する非磁性金属（例えばステンレス製）又は樹脂製の取付ベース２と、取付ベース２に固定された永久磁石からなる第１磁力吸着部としてのマグネットシート３（磁力シート）と、香炉３４の上面３４ａに固定された永久磁石からなる第２磁力吸着部としてのマグネットシート４とを備える。
【００１１】
取付ベース２は、横長方形状をなす１枚のステンレス板からなるベース本体２ａを備え、ベース本体２ａの前端部及び後端部には、そのベース本体２ａの前後の外縁部からその前後の奥行より小さい突出寸法で下側に延びて互いに対向する板状の脚部２ｂが形成されている。そして、図３及び図４に示すように、ベース本体２ａの裏面２ｃには、脚部２ｂの高さ寸法Ｈ（図５Ｂ参照）よりも短い板厚に形成された樹脂製（その他の材質でもよい）のスペーサ部材５が、上下の両面に粘着層１６ａを備えた両面粘着テープ１６（図５Ａ参照）で貼着され、そのスペーサ部材５の下面に、薄板形状の永久磁石からなるマグネットシート３が両面粘着テープ１６で貼着される。なお、スペーサ部材５には、ベース本体２ａの裏面２ｃに貼着された状態で、後述する支持筒取付部材６の取付フランジ部６ｂ及びロウソク支持針９の取付片部９ｂとの干渉を避けるための各切欠部５ａ，５ｂが形成されている。
【００１２】
一方、マグネットシート４は、マグネットシート３と同様に薄板状の永久磁石からなり、取付ベース２に固定されたマグネットシート３と対応する位置で香炉３４の上面３４ａに両面粘着テープ１６で貼着される。
【００１３】
また、図５Ｂに示すように、脚部２ｂの高さ寸法Ｈは、香炉３４の上面３４ａに固定されたマグネットシート４に対して取付ベース２に固定されたマグネットシート３を磁力吸着して、墓用支持具１を香炉３４に取り付けた状態で、前後の脚部２ｂの各先端部が香炉３４の上面３４ａと丁度当接し得る程度の寸法に設定されている。これにより、スペーサ部材５は、ベース本体２ａの下面（裏面２ｃ）に固定された状態で、脚部２ｂの先端から下側へはみ出さないように前後の脚部２ｂ，２ｂ間の空間に配置される。しかも、スペーサ部材５とその下面に貼着されたマグネットシート３との合計厚みが、脚部２ｂの先端から下側へはみ出さないように設定されるとともに、それらスペーサ部材５及びマグネットシート３が少なくとも前後の板状の脚部２ｂ，２ｂで隠され、かつその脚部２ｂの先端が墓石３０側の支持具設置面（実施形態中では香炉３４の上面３４ａ）に接地又はごく近接して、墓用支持具１及びその墓用支持具１を設置した墓石３０の美観を向上する。
【００１４】
取付ベース２のベース本体２ａには、図４に示すように、その長手方向中央の若干前側に取付穴２ｄが穿設され、取付穴２ｄを下方から貫通するようにしてステンレス製の支持筒取付部材６が取り付けられる。支持筒取付部材６は、円形状の取付穴２ｄに対応した上面壁６ａを有する円筒形状をなし、その下側部分には、支持筒取付部材６をベース本体２ａの裏面２ｃに溶接して取り付けるための取付フランジ部６ｂが形成されている。また、支持筒取付部材６においてベース本体２ａの表面２eを貫通した円筒形状の外周部分には、雄ネジ部６ｃが形成されている。そして、この雄ネジ部６ｃと螺合する雌ネジ部７ａを備えた線香支持筒７（支持部）が支持筒取付部材６を介して取付ベース２に着脱自在に取り付けられる。線香支持筒７は、上方に向かうにつれて徐々に拡径した円筒形状をなし、その縮径側となる下側部分の内周壁に、雌ネジ部７ａが形成されている。これにより、線香支持筒７は、取付ベース２への取付状態において支持筒取付部材６の上面壁６ａを支持底面として点火物である線香Ｓを支持する。
【００１５】
また、図３に示すように、ベース本体２ａの表面２eにおける長手方向の両側位置には、それぞれ点火物としてのロウソクＲを支持するための支持底面を形成するステンレス製の底面形成部材８が取り付けられる。底面形成部材８は、円筒形状の胴体部８ａと、胴体部８ａの上壁面をなすとともにすり鉢状に形成されてロウソクＲの支持底面を構成する支持底面部８ｂと、胴体部８ａの下端に鍔状に形成されて底面形成部材８をベース本体２ａの表面２eに溶接して取り付ける取付フランジ部８ｃと、を備えている。また、支持底面部８ｂの中央には、挿通穴８ｄが穿設され、この挿通穴８ｄとベース本体２ａに穿設された挿通穴２ｆとを貫通した状態で支持部（ロウソク支持部）としてのロウソク支持針９が取り付けられる。ロウソク支持針９は、その上端にロウソクＲを挿し込んで支持する針部９ａが形成され、下端にはロウソク支持針９をベース本体２ａの裏面２ｃに溶接して取り付けるための取付片部９ｂが形成されている。なお、この構成により、墓用支持具１は、その中央位置で線香Ｓを支持するとともに、線香Ｓを両側から挟むようにして左右一対のロウソクＲを支持する。
【００１６】
また、上記した底面形成部材８の胴体部８ａには、ロウソク支持針９に支持されたロウソクＲの外周を覆うようにステンレス製の風防筒１０が着脱自在に取り付けられる。風防筒１０は、円筒形状（その他の筒形状でもよい）をなし、その下端外周部分には胴体部８ａに対して風防筒１０を嵌合するための嵌合爪部１０ａが複数箇所（この実施形態では３箇所）に形成されている。また、嵌合爪部１０ａが形成された下端外周部分を除いた風防筒１０の外周部分には、点火状態にあるロウソクＲの光を外部から視認可能にするための灯明穴１０ｂが複数穿設されている。そして、ロウソクＲの支持底面（支持底面部８ｂ）を形成する底面形成部材８の胴体部８ａに風防筒１０を嵌合して取り付けることで、風防筒１０がロウソクＲの外周を覆い、ロウソクＲの火が風で消えるのを防いでロウソクＲの点灯を長時間継続させる。
【００１７】
次に、第２実施形態の墓用支持具について説明する。図６に示すように、第２実施形態の墓用支持具４１は、ロウソクＲ及び線香Ｓの点火物をそれぞれ起立状態で支持する非磁性金属（例えばステンレス製）又は樹脂製の取付ベース４２と、取付ベース４２の下端面に固定された永久磁石からなる第１磁力吸着部としてのマグネットシート４３（磁力シート）と、香炉３４の上面３４ａに固定された永久磁石からなる第２磁力吸着部としてのマグネットシート４４とを備える。
【００１８】
取付ベース４２は、ベース本体４２ａと、ベース本体４２ａの前後の端縁部からその前後の奥行より小さい突出寸法で下側に延びて互いに対向する板状の前側脚部４２ｃ及び後側脚部４２ｄと、各脚部４２ｃ，４２ｄの先端部から互いに内向され突出する一対の底部フランジ４２ｂとを備え、両フランジ４２ｂの間に帯状の空間が形成される。なお、取付ベース４２の下面をなすフランジ４２ｂがほぼ突き合わされて閉塞するようにしてもよい。
【００１９】
そして、前側脚部４２ｃと後側脚部４２ｄとに分かれて個々に長方形状をなす２つの底部フランジ４２ｂ（底部片）に対して、その下端面のほぼ全域を覆うようにして薄板形状の永久磁石からなるマグネットシート４３が上下の両面に粘着層１６ａを備えた両面粘着テープ１６で貼着される。また、マグネットシート４４は、マグネットシート４３と同一の外形形状（長方形状）に形成された薄板状の永久磁石からなり、取付ベース４２の底部フランジ４２ｂに貼着された２枚のマグネットシート４３と個々に対応する位置で香炉３４の上面３４ａに両面粘着テープ１６で貼着される。
【００２０】
取付ベース４２のベース本体４２ａには、図７に示すように、その長手方向のほぼ中央位置で断面凹形状の取付凹部５０が設けられている。取付凹部５０は、平面視で円形状（角形でもよい）をなし、点火物としての線香Ｓを挿入して支持する有底円筒体（例えばステンレス製）からなる線香支持筒５１（支持部）が内嵌して取り付けられる。そして、線香支持筒５１の底面５１ａが線香Ｓを支持するための支持底面を構成する。なお、線香支持筒５１は、その下端部を取付凹部５０内に嵌入して、この状態から取付凹部５０の上端周縁部分と線香支持筒５１の外周面とを溶接（図７に溶接部分Ｙを示す）することで取付ベース４２のベース本体４２ａ（取付凹部５０）に固定される。
【００２１】
また、取付ベース４２のベース本体４２ａにおける長手方向の両側位置にも取付凹部５０と同様に、断面凹形状でかつ平面視で円形状（角形でもよい）をなす着脱凹部５２が設けられている。着脱凹部５２の底面５２ａの中央には、点火物としてのロウソクＲの底部を挿し込んで支持するロウソク支持針５３（支持部）が立設されている。これにより、着脱凹部５２の底面５２ａがロウソクＲを支持するための支持底面を構成する。また、この構成により、墓用支持具４１は、その中央位置で線香Ｓを支持するとともに、線香Ｓを両側から挟むようにして左右一対のロウソクＲを支持する。
【００２２】
そして、上記した着脱凹部５２には、ロウソク支持針５３に支持されたロウソクＲの外周を覆うように風防筒としてのガラス製の透明筒５４が着脱自在に取り付けられる。透明筒５４は、円筒形状（その他の筒形状でもよい）をなし、その下端部が着脱凹部５２に嵌入して取り付けられることでロウソクＲの外周を覆い、ロウソクＲの火が風で消えるのを防いでロウソクＲの点灯を長時間継続させる。また、ロウソクＲの外周を透明筒５４で覆うことにより、点灯状態にあるロウソクＲが外部から視認可能になる。
【００２３】
なお、上記した第２実施形態では、線香支持筒５１を取付凹部５０内に嵌入した状態で取付凹部５０の上端周縁部分と線香支持筒５１の外周面とを溶接部分Ｙで溶接することにより、線香支持筒５１を取付凹部５０に固定しているが、この構成に限定するものではなく、例えば図８Ａ〜Ｃに示す構成で線香支持筒５１等の支持部を取付凹部５０に固定してもよい。図８Ａの変形例では、取付凹部５０の底面５０ａを取り除いて貫通した円筒形状に形成する。そして、貫通した取付凹部５０の円周下端部５０ｄと線香支持筒５１の底面５１ａとを溶接して（図８Ａに溶接部分Ｙを示す）線香支持筒５１を固定する。
【００２４】
図８Ｂの変形例では、平面視で円形状をなす取付凹部５０よりも線香支持筒５１の外周壁部の直径寸法を若干大きめに形成する。ただし、線香支持筒５１の下端側は、先細り形状とすることでその直径寸法は取付凹部５０よりも小さく形成する。そして、線香支持筒５１を下方に押さえ込んで取付凹部５０内に嵌め込むことで、線香支持筒５１を取付凹部５０に固定する。
【００２５】
図８Ｃの変形例では、取付凹部５０の底面５０ａにビス止め用の取付穴５０ｃを穿設する。また、線香支持筒５１の下端には、その内周方向に鍔状フランジ部５１ｂを延設し、鍔状フランジ部５１ｂに取付穴５０ｃと対応するネジ穴５１ｃを穿設する。そして、取付ビス５５を取付穴５０ｃを介してネジ穴５１ｃに締め込むことで、取付凹部５０内に嵌入された線香支持筒５１を固定する。なお、このように線香支持筒５１の下端に鍔状フランジ部５１ｂを設けた場合、鍔状フランジ部５１ｂの下端面を取付凹部５０の底面５０ａに溶接するようにしてもよい。
【００２６】
以上説明した第１，第２実施形態の墓用支持具１，４１は、ロウソクＲ及び線香Ｓをそれぞれ起立状態で支持する取付ベース２，４２が、墓石３０側の支持具設置面となる香炉３４の上面３４ａに取り付けられ、その取付構成として、取付ベース２，４２に固定されたマグネットシート３，４３と、香炉３４の上面３４ａに固定されたマグネットシート４，４４との間で働く磁力（Ｓ極とＮ極で引き合うようにマグネットシート３，４（４３，４４）が配置される）を用いる。これにより、墓石３０側に墓用支持具１，４１の取付穴を開ける必要がなく、墓用支持具１，４１を墓前に設置するためにはマグネットシート３及び４（４３及び４４）同士を磁力で接合するだけでよく、墓用支持具１，４１の設置が容易となる。また、磁力によって取付ベース２，４２を墓石３０側に対して着脱自在に設置することにより、墓用支持具１，４１の清掃もこの支持具１，４１を墓から取り外して容易に行い、また元の位置に簡単に付けることができ、何度も着脱を繰り返しても従来のような係合爪部の損傷や劣化の心配もなく、墓用支持具１，４１を安定的に墓石に保持することができる。なお、第１実施形態の墓用支持具１は、墓石３０側のマグネットシート４の端面の側方に、取付ベース２の脚部２ｂの先端が位置している（図４参照）。このため、墓用支持具１を墓石３０側に設置する際には、取付ベース２の吸着位置を決めることができ、墓石３０側に対する墓用支持具１の位置決めを容易に行うことができる。
【００２７】
また、上記実施形態では、取付ベースに設けられる第１磁力吸着部と、墓石側の支持具設置面上に設けられる第２磁力吸着部とを共に永久磁石で構成しているが、必ずしもこの構成に限定するものではない。図９Ａの変形例に示すように、取付ベース２側に第１磁力吸着部として永久磁石（例えばマグネットシート６０）を設ける一方、墓石３０側に第２磁力吸着部として磁性体（例えば磁性金属シート６１）を設けるようにしてもよいし、図９Ｂの変形例に示すように、取付ベース２側に第１磁力吸着部として磁性体（例えば磁性金属シート６２）を設ける一方、墓石３０側に第２磁力吸着部として永久磁石（例えばマグネットシート６３）を設けるようにしてもよい。また、図９Ｃの変形例に示すように、墓石３０側に第２磁力吸着部として永久磁石（例えばマグネットシート６４）を設ける一方、取付ベース２に取り付けられる板部材を磁性体（例えば鉄系金属）で形成して（図９Ｂ中には、磁性体からなる板部材６５を例示する）、その磁性体（板部材６５）の一部分（例えば板部材６５の下面６５ａ）で第１磁力吸着部を構成するようにしてもよい。この場合、防錆上及び外観上、磁性金属に塗装が施されることが望ましい。
【００２８】
また、取付ベースの形状としては、第１実施形態に示した前後の脚部を備えたもの、第２実施形態に示した前後の脚部にさらに底部フランジを備えた筐体形状のもの以外にも、偏平な六面体状の筐体形状としてもよいし、上面、下面、及び前面の３つの壁面から筐体形状の取付ベースを形成してもよい。さらには、図１０の変形例に示すように、取付ベースを脚部を有さない平板形状に形成してもよい。図１０に示す変形例の取付ベース２０は、長方形の例えばステンレス平板からなり、その下面にはほぼ全域又は一部を覆うようにして薄板形状のマグネットシート２１（磁性金属シートでもよい）が貼着される。取付ベース２０の上面には、そのほぼ中央位置に線香支持筒２２が立設され、線香支持筒２２を相互間で挟むようにして左右一対の保持突起２３が立設されている。保持突起２３は、円筒形状に形成されるとともに、その外周壁部が風防筒１０の内周壁部における直径寸法よりも若干小さめに形成されることで、風防筒１０の下端側を外嵌して取付ベース２０上に風防筒１０を保持する。また、保持突起２３の中心位置となる取付ベース２０上には、ロウソク支持針２４が立設されている。なお、墓石側の支持具設置面には、マグネットシート２１と対応する薄板形状のマグネットシート２５が貼着される。
【００２９】
また、実施形態中の墓用支持具は、取付ベースのほぼ中央位置に線香を支持し、その線香を相互間で挟むようにロウソクを支持する構成としているが、これに限定するものではない。例えば図１１Ａの変形例に示すように、ロウソク及び線香のいずれか一方の点火物のみを支持するものであってもよい。図１１Ａ中には、左右一対のロウソクＲだけを取付ベース２で支持する墓用支持具を例示する。さらには、図１１Ｂの変形例に示すように、取付ベース２の長手方向の両端側に支持部として花き支持筒２５を立設することで、ロウソクや線香といった点火物以外の供物として花きＫを支持するようにしてもよい。
【００３０】
また、線香を支持する線香支持筒は、図１２に示す変形例の構成としてもよい。図１２に示すように、変形例の線香支持筒１７は、前述した第１実施形態の線香支持筒７と同様に、上方に向かうにつれて徐々に拡径した円筒形状をなし、その縮径側となる下側部分の内周壁には、取付ベース２に溶接して取り付けられた支持筒取付部材６の雄ネジ部６ｃと螺合する雌ネジ部１７ａが形成されている。また、線香支持筒１７の内周壁には、その高さ方向の中間位置内方に向かって突出する鍔状の支持フランジ１８が形成されている。支持フランジ１８の上面１８ａは、束ね帯で５０本程度が束ねられた線香ＳＡの下端部を支持する。なお、支持フランジ１８の内周縁部は開口１８ｂとされるが、束ねられた線香ＳＡの外周側を上面１８ａで支持することにより、線香ＳＡの中心側は、開口１８ｂから落下することなく、線香ＳＡの外周側と同一の高さ位置で線香支持筒１７に支持される。そして、２，３本程度の線香Ｓａを線香支持筒１７で支持する場合には、開口１８ｂを通して線香Ｓａの下端部を支持筒取付部材６の上面壁６ａで支持する。このとき、支持フランジ１８の内周縁である開口１８ｂの周縁が線香Ｓａを側方から支持するので、２，３本と少ない本数の線香Ｓａでも比較的直立に近い状態で線香支持筒１７により支持することができる。
【００３１】
また、実施形態中では、第１、第２磁力吸着部をそれぞれ薄板形状（マグネットシート又は金属シート）に形成し、これを両面粘着テープで貼着する構成としているが、この構成に限定されない。例えば第１、第２磁力吸着部をそれぞれ１又は複数の小片から形成して接着剤で固定する等してもよい。ただし、本実施形態で示した第１、第２磁力吸着部を薄板形状に形成して取付ベースの下面側に貼付した構成によれば、取付ベースと墓石側の支持具設置面との隙間をなくした状態で取付ベースをしっかりと墓石側の支持具設置面に取り付けることができる。
【００３２】
また、墓用支持具を構成する取付ベース、線香支持筒、風防筒の材質は、特に限定するものではない。金属以外に例えば陶器等の非磁性体で形成してもよいし鉄等の磁性体で形成してもよく、鉄で形成した場合には、墓石側の色調と合わせて目立たない黒系色の塗料で塗装する等してもよい。また、必ずしも各構成部材の材質を統一する必要もない。ただし、陶器等溶接による固定ができない材質で部材を構成した場合には、溶接以外の方法で固定することとなる。
【００３３】
また、本考案に係る墓用支持具を設置する香炉の構成についても、以上説明した実施形態中の香炉３４に限定するものではない。例えば、図１３及び図１４に示すように、竿石３１、上台石３２、及び下台石３３からなる墓石３０に対して、上台石３２に穿設された納骨穴３２ａをその前方から覆うように下台石３３の上面に設置される変形例１の香炉３５は、墓用支持具１を載置するための底壁部３５ａ、左右の側壁部３５ｂ、納骨穴３２ａを覆う後壁部３５ｃ、及び屋根部分をなす上壁部３５ｄを備える。これにより、各壁部３５ａ，３５ｂ，３５ｃ，３５ｄによって囲まれた空間が墓用支持具１を設置するための設置空間３５ｅとなる。そして、設置空間３５ｅ内における底壁部３５ａ上には、墓用支持具１を磁力吸着して取り付けるためのマグネットシート４が取り付けられる。
【００３４】
また、図１５に示す変形例２の香炉３６は、変形例１の香炉３５と同様に、底壁部３６ａ、左右の側壁部３６ｂ、後壁部３６ｃ、及び上壁部３６ｄを備えることで、各壁部３６ａ，３６ｂ，３６ｃ，３６ｄにより墓用支持具１の設置空間３６ｅを形成している。ただし、香炉３６の上壁部３６ｄは、屋根形状をなす香炉３５の上壁部３５ｄとは異なり、その上面が果物等の供物を載置するための載置面を構成するように水平に形成されている。
【００３５】
以上、本考案の実施形態を説明したが、これらはあくまで例示に過ぎず、本考案はこれらに限定されるものではなく、実用新案登録請求の範囲の趣旨を逸脱しない限りにおいて種々の変更が可能である。
【符号の説明】
【００３６】
１  墓用支持具
２  取付ベース
２ａ  ベース本体
２ｂ  脚部
２ｃ  裏面
２ｅ  表面
３  マグネットシート（第１磁力吸着部）
４  マグネットシート（第２磁力吸着部）
５  スペーサ部材
６  支持筒取付部材
６ａ  上面壁（支持底面）
７  線香支持筒（支持部）
８  底面形成部材
８ｂ  支持底面部（支持底面）
９  ロウソク支持針（支持部、ロウソク支持部）
１０  風防筒
１６  両面粘着テープ
３０  墓石
３４  香炉
３４ａ  上面（支持具設置面）
４１  墓用支持具
４２  取付ベース
４２ｂ  底部フランジ
４３  マグネットシート（第１磁力吸着部）
４４  マグネットシート（第２磁力吸着部）
５０  取付凹部
５０ａ  底面（支持底面）
５１  線香支持筒（支持部）
５２ａ  底面（支持底面）
５３  ロウソク支持針（支持部）
５４  透明筒（風防筒）
Ｋ  花き
Ｒ  ロウソク
Ｓ  線香
【図１】
0003178567.tif 000003
【図２】
0003178567.tif 000004
【図３】
0003178567.tif 000005
【図４】
0003178567.tif 000006
【図５Ａ】
0003178567.tif 000007
【図５Ｂ】
0003178567.tif 000008
【図６】
0003178567.tif 000009
【図７】
0003178567.tif 000010
【図８Ａ】
0003178567.tif 000011
【図８Ｂ】
0003178567.tif 000012
【図８Ｃ】
0003178567.tif 000013
【図９Ａ】
0003178567.tif 000014
【図９Ｂ】
0003178567.tif 000015
【図９Ｃ】
0003178567.tif 000016
【図１０】
0003178567.tif 000017
【図１１Ａ】
0003178567.tif 000018
【図１１Ｂ】
0003178567.tif 000019
【図１２】
0003178567.tif 000020
【図１３】
0003178567.tif 000021
【図１４】
0003178567.tif 000022
【図１５】
0003178567.tif 000023